【事件の表示】
　特許第２９１５２６７号「太陽電池付き発光装置」の請求項１に係る特許に対する特許異議の申立てについて、次のとおり決定する。
【結　論】
　訂正を認める。
　特許第２９１５２６７号の請求項１に係る特許を維持する。
【理　由】
１．手続の経緯
　特許第２９１５２６７号の請求項１に係る発明は、平成５年１２月１６日に特許出願され、平成１１年４月１６日にその特許の設定登録がなされ、その後異議申立人株式会社多川商事により特許異議の申立がなされ、取消理由通知がなされ、その指定期間内である平成１２年５月２９日に訂正請求がなされたものである。
２．訂正の適否についての判断
２−１　訂正の内容
　特許権者が求めている訂正の内容は、以下のとおりである。
（１）特許請求の範囲に記載された「少なくとも太陽電池と、該太陽電池の発生電力を充電する電気二重層コンデンサと、制御回路とをケース内に封止材で固着一体化し、よってこれら太陽電池、電気二重層コンデンサ、制御回路を雨水や湿気等の侵入による悪影響から防止し、前記制御回路を介して電気二重層コンデンサの充電電力を発光体に給電し、該発光体を点灯または点滅させることを特徴とする太陽電池付き発光装置。」を「少なくとも太陽電池と、該太陽電池の発生電力を充電する電気二重層コンデンサと、制御回路とをケース内に、太陽電池、電気二重層コンデンサ、制御回路を雨水や湿気等の侵入による悪影響から防止するように封止材で固着一体化し、前記制御回路を介して電気二重層コンデンサの充電電力を発光体に給電し、該発光体を点灯または点滅させることを特徴とする太陽電池付き発光装置。」と訂正する。
（２）発明の詳細な説明の欄の段落【０００６】に記載された「すなわち本発明に係る太陽電池付き発光装置は、少なくとも太陽電池と、該太陽電池の発生電力を充電する電気二重層コンデンサと、制御回路とをケース内に封止材で固着一体化し、よってこれら太陽電池、電気二重層コンデンサ、制御回路を雨水や湿気等の侵入による悪影響から防止し、前記制御回路を介して電気二重層コンデンサの充電電力を発光体に給電し、該発光体を点灯または点滅させることを特徴とするものである。」を「すなわち本発明に係る太陽電池付き発光装置は、少なくとも太陽電池と、該太陽電池の発生電力を充電する電気二重層コンデンサと、制御回路とをケース内に、太陽電池、電気二重層コンデンサ、制御回路を雨水や湿気等の侵入による悪影響から防止するように封止材で固着一体化し、前記制御回路を介して電気二重層コンデンサの充電電力を発光体に給電し、該発光体を点灯または点滅させることを特徴とするものである。」と訂正する。
２−２　訂正の目的の適否、新規事項の有無及び拡張・変更の存否
　上記訂正事項（１）及び（２）は、特許明細書の特許請求の範囲に記載された「少なくとも太陽電池と、該太陽電池の発生電力を充電する電気二重層コンデンサと、制御回路とをケース内に封止材で固着一体化し、よってこれら太陽電池、電気二重層コンデンサ、制御回路を雨水や湿気等の侵入による悪影響から防止し、」の記載における「封止材で固着一体化する」ことと、「太陽電池、電気二重層コンデンサ、制御回路を雨水や湿気等の侵入による悪影響から防止」することとの関連を明瞭にしたものにすぎないから、明瞭でない記載の釈明を目的とするものであって、新規事項の追加に該当せず、また実質上特許請求の範囲を拡張し、変更するものではない。
２−３　むすび
　以上のとおりであるから、上記訂正請求は、特許法の一部を改正する法律（平成６年法律１１６号）附則第６条第１項の規定によりなお従前の例によるとされる、特許法第１２０条の４第３項において準用する平成６年法改正前の特許法第１２６条第１項ただし書及び第２項の規定に該当するので、当該訂正を認める。　
３．特許異議申立について
３−１　本件の請求項１に係る発明は、訂正明細書の特許請求の範囲の請求項１に記載された次のとおりのものである。　
　「少なくとも太陽電池と、該太陽電池の発生電力を充電する電気二重層コンデンサと、制御回路とをケース内に、太陽電池、電気二重層コンデンサ、制御回路を雨水や湿気等の侵入による悪影響から防止するように封止材で固着一体化し、前記制御回路を介して電気二重層コンデンサの充電電力を発光体に給電し、該発光体を点灯または点滅させることを特徴とする太陽電池付き発光装置。」
３−２　申立の理由の概要
　特許異議申立人株式会社多川商事は、証拠として甲第１号証（実願昭６０−６５８２７号（実開昭６１−１８４７２０号）のマイクロフィルム）、甲第２号証（実願平３−６６７７号（実開平３−６６７７号）のマイクロフィルム）及び甲第３号証（特開昭５８−６３０３１号公報）を提出し、本件の請求項１に係る発明は、甲第１号証乃至甲第３号証に記載された発明に基づいて当業者が容易に発明をすることができたものであるから、特許法第２９条第２項の規定に違反してなされたものであり、特許を取り消すべき旨主張している。
３−３　引用刊行物に記載された事項
　当審が通知した取消理由に引用した刊行物１乃至刊行物３には、それぞれ次の事項が記載されている。
（１）刊行物１（実願昭６０−６５８２７号（実開昭６１−１８４７２０号）のマイクロフィルム）
　刊行物１（異議申立における甲第１号証）には、地表取付鋲型道路信号装置に関し、図面とともに、「第１図はこの信号装置の外観斜視図である。鋲本体１はアルミニウムダイキヤストにより背の低い四角錐台形に形成されその四側壁面に開設された長方形の窓孔には赤色又は黄色のリフレクタ２が装填されている。・・・リフレクタ２の一部には二次曲面状の樹脂レンズ３が埋設されその焦点位置に赤色又は黄色に発光する高輝度発光ダイオード４が夫々装着されている。」（第４頁３〜１４行）こと、「鋲本体１上面には額縁状に隆起縁６が形成され、これによって囲続された部位にゴム製緩衝材７によって包んで太陽電池８を配置する。」（第４頁１７〜１９行）こと、「鋲本体１の下面中央には四角筒形の筒状部１０を一体に垂下形成し、該筒状部１０中に畜電池１１と切換回路基板１２とを取付ける。蓄電池１１はニッケルカドミウム電池等の密閉型のもので、昼間の太陽電池８の起電力を蓄電する。切換回路基板１２は昼間で太陽電池８が充分な起電力があるときに該太陽電池８と蓄電池１１とを導通させると共に、夜間等太陽電池８の起電力が少ないときは発光ダイオード４を蓄電池１１に導通させ該蓄電池１１を電源として発光ダイオード４を点灯させる。」（第５頁２〜１１行）こと、「鋲本体１の上下を逆さにし該筒状部１０中にその畜電池１１，切換回路基板１２と収容し、この中に常温で固化するシリコン樹脂、或いは合成ゴムのような固形絶縁材を充填する。」（第５頁１５〜１８行）こと、「そして前記鋲本体１をその箇状部１０が該埋込容器１３内に垂下するようにして該埋込容器１３の上面開口１４に被せると共に、該鋲本体１の四隅角部に貫挿したボルト１７を前記ねじ孔１６に螺合し該鋲本体１を該埋込容器１３に対し着脱自在に固着する。そして、埋込容器１３中には比重が１以下で広い温度範囲（−６０℃〜２５０℃）において液状であるシリコン樹脂１８を隙間なく充填してなるものである。」（第６頁３〜１１行）こと、「また、長期の使用によりシール部材１５が傷付き雨水が万一埋込容器１３内に侵入した場合その雨水は埋込容器１３内の底に沈み、シリコン樹脂１８はその雨水が水蒸気となって蓄電池１１や切換回路基板１２等に付着するのを防ぐため、たとえ少量浸水したとしてもこれによってただちに蓄電池１１，切換回路基板１２等が漏電を起こすことはない。」（第７頁１０〜１７行）ことが記載されている。
（２）刊行物２（実願平３−６６７７号（実開平３−６６７７号）のマイクロフィルム）
  刊行物２（異議申立における甲第２号証）には、標示灯に関し、図面とともに、「第１図は、本案の一実施例の略断面図である。ガラス基板１７の下方の面には、必要な個数の太陽電池セル９と、透明電極層１２及び背面電極層１４に挟まれた発光層１３とよりなるＥＬパネル４が設けられ、それらはＥＶＡ（エチレン・ビニル・アセテート）樹脂１９でシールされている。さらにそれらの外側は金属箔を間に挟んだ金属箔ラミネートフィルム１８によって覆われ、この金属箔ラミネートフィルム１８の端緑部はガラス基板１７の下方の面に密着されている。」（第３頁１０〜１９行）こと、「第３図はこの装置を使用する場合のブロック図である。同図において、太陽電池７はスイッチ回路２及び点灯回路８を経てＥＬパネル４に接続される。太陽電池７の出力部とスイッチ回路２との間には照度検出回路１が並列に接続されている。太陽電池７の出力は、蓄電池６にも供給されて、これを充電するが、太陽電池７と蓄電池６との間には過充電防止回路５が設けられている。昼間は太陽電池７で発生して電力は蓄電池６に充電される。」（第４頁９〜１８行）こと、「夜間になり暗くなると、照度検出回路１によって太陽電池７の電圧低下を検出してスイッチ回路２に信号を送り、スイッチ回路２は点灯回路８へ電力を供給し、ＥＬパネル４の点灯に必要な電圧，周波数の信号を発生して、ＥＬパネル４を点灯する。」（第５頁７〜１２行）こと、「本案は以上のような構造であるから、ＥＬパネルには湿気が侵入することなく、屋外で使用しても劣化することが少ない。」（第５頁１４〜１６行）ことが記載されている。
（３）刊行物３（特開昭５８−６３０３１号公報）
　刊行物３（異議申立における甲第３号証）には、太陽電池発電システムに関し、図面とともに、「第２図は本発明による太陽発電システムを示す系統図であり、第１図と同じ参照数字はそれらと同じ機能を有する。太陽電池アレイ１ で得られる発電電力は、本発明の特徴とする電気二重層コンデンサー１５に静電気電気量として充電される。」（第２頁左下欄１１〜１５行）こと、「本発明の太陽電池発電システムは電気二重層コンデンサーを二次電池に使うように構成しているので保守が不要、長寿命、広使用温度範囲、個体ブロックで構造が機械的に堅固、内部漏れ電流が少ない、端子電圧による残存容量の監視が容易等多くの利点を有する。」（第２頁右下欄１１〜１６行）ことが記載されている。
３−４　対比・判断
（１） 刊行物１には、上記３−３（１）の記載からみて、「上面に太陽電池８を配置した本体１の筒状部１０中に蓄電池１１と切換回路基板１２を収納し、この中にシリコン樹脂あるいは合成ゴムのような固形絶縁材を充填するとともに、侵入した雨水が水蒸気となって蓄電池１１や切換回路基板１２等に付着するのを防ぐため筒状部１０が垂下する埋込容器１３中に液状のシリコン樹脂１８を充填し、切換回路を介して蓄電池１１の充電電力を発光ダイオード４に給電し、発光ダイオード４を点灯させる太陽電池付き鋲型道路信号装置」に係る発明が記載されている。
　そこで、本件の請求項１に係る発明と刊行物１に記載された発明を対比すると、刊行物１に記載された「本体１及び埋込容器１３」、「切換回路」、「シリコン樹脂あるいは合成ゴムのような固形絶縁材」、「発光ダイオード４」、「太陽電池付き鋲型道路信号機」は、それぞれ、本件の請求項１に係る発明の「ケース」、「制御回路」、「封止材」、「発光体」、「太陽電池付き発光装置」に相当し、また、本件発明の「電気二重層コンデンサ」と刊行物１に記載された「蓄電池１１」は、「充電手段」ということができるから、両者は、
「太陽電池と、太陽電池の発生電力を充電する充電手段と、制御回路をケースに設け、制御回路を介して充電手段の充電電力発光体に給電し、発光体を点灯させる太陽電池付き発光装置。」
の点で一致し、次の点で相違する。
イ．本件の請求項１に係る発明は、太陽電池を充電する充電手段が電気二重層コンデンサであるのに対し、刊行物１に記載されたものは、蓄電池である点。
ロ．本件の請求項１に係る発明は、太陽電池と、蓄電池と、制御回路とをケース内に、太陽電池、蓄電池、制御回路を雨水や湿気等の侵入による悪影響から防止するように封止材で固着一体化しているのに対し、刊行物１に記載された発明は、上面に太陽電池８を配置したケース内に封止体とともに充電手段と制御回路を収納するとともに、侵入した雨水が水蒸気となって蓄電池や制御回路等に付着するのを防ぐためケース内に液状のシリコン樹脂を充填している点。
（３）次に、上記相違点について検討する。
　刊行物３には、太陽電池で得られる発電電力を電気二重層コンデンサに静電気電気量として充電する点が記載されており、本件の請求項１に係る発明において上記相違点イであげた電気二重層コンデンサを採用した点に格別のものはない。
　しかしながら、相違点ロについてみると、本件の請求項１に係る発明は、上記相違点ロであげた「太陽電池と蓄電池と制御回路とをケース内に、太陽電池、蓄電池、制御回路を雨水や湿気等の侵入による悪影響から防止するように封止材で固着一体化」した構成を採用することにより、明細書に記載された「該電気二重層コンデンサを含めて太陽電池、制御回路が固着一体化されているので、雨水や湿気等の侵入による悪影響から防止され、特に交通標識、視線誘導表、道路鋲、カーブミラー等の道路標識、または駐車場や港湾の車止め等の道路用品、または看板、サイン等の広告や案内標識等、風雨に曝される対象物であっても好適に取り付けることのできるものである。」という効果を奏するものである。
　これに対し、刊行物１に記載された発明は、上記したようにケース内に封止体とともに充電手段と制御回路を収納しているが、侵入した雨水が水蒸気となって蓄電池や制御回路等に付着するのを防ぐためケース内に液状のシリコン樹脂を充填しており、本件の請求項１に係る発明とは雨水や湿気等の侵入による悪影響から防止する手段が相違している。また、刊行物１に記載された太陽電池は制御回路及び蓄電池とともに固着一体化されていない。
　また、刊行物２には、上記相違点ロに関する記載として、表示灯について、ガラス基板の下方の面に太陽電池セルとＥＬパネルを設け、それらをＥＶＡ樹脂でシールし、さらにそれらの外周を金属箔ラミネートフィルムで覆うようにして、ＥＬパネルに湿気が侵入することがないようにした点が記載されているだけで、本件の請求項１に係る発明のように、制御回路及び蓄電池を太陽電池とともにケース内に太陽電池、蓄電池、制御回路を雨水や湿気等の侵入による悪影響から防止するように封止材で固着一体化した点は何ら記載されていない。
  刊行物３には、太陽電池で得られる発電電力を電気二重層コンデンサに静電気電気量として充電する点は記載されているが、太陽電池、電気二重層コンデンサ及び制御回路をケース内に配置する点は、何ら記載されていない。
  以上のように、刊行物１乃至刊行物３のいずれにも、太陽電池と蓄電池と制御回路とをケース内に、太陽電池、蓄電池、制御回路を雨水や湿気等の侵入による悪影響から防止するように封止材で固着一体化した点が記載されておらず、刊行物１乃至刊行物３に記載されたものから、上記相違点ロであげた本件の請求項１に係る発明の技術的事項を当業者が容易に想到し得たとすることができない。
（４）したがって、本願の請求項１に係る発明は、上記刊行物１乃至甲刊行物３に記載された発明に基づいて、当業者が容易に発明をすることができたものとすることができない。
４．むすび
  以上のとおりであるから、取消理由通知で指摘した理由並びに特許異議の申立ての理由及び証拠によっては、本件の請求項１に係る発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年改正法第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年７月３日（２０００．７．３）
【訂正の要旨】
　特許権者が求めている訂正の内容は、以下のとおりである。
（１）特許請求の範囲に記載された「少なくとも太陽電池と、該太陽電池の発生電力を充電する電気二重層コンデンサと、制御回路とをケース内に封止材で固着一体化し、よってこれら太陽電池、電気二重層コンデンサ、制御回路を雨水や湿気等の侵入による悪影響から防止し、前記制御回路を介して電気二重層コンデンサの充電電力を発光体に給電し、該発光体を点灯または点滅させることを特徴とする太陽電池付き発光装置。」を「少なくとも太陽電池と、該太陽電池の発生電力を充電する電気二重層コンデンサと、制御回路とをケース内に、太陽電池、電気二重層コンデンサ、制御回路を雨水や湿気等の侵入による悪影響から防止するように封止材で固着一体化し、前記制御回路を介して電気二重層コンデンサの充電電力を発光体に給電し、該発光体を点灯または点滅させることを特徴とする太陽電池付き発光装置。」と訂正する。
（２）発明の詳細な説明の欄の段落【０００６】に記載された「すなわち本発明に係る太陽電池付き発光装置は、少なくとも太陽電池と、該太陽電池の発生電力を充電する電気二重層コンデンサと、制御回路とをケース内に封止材で固着一体化し、よってこれら太陽電池、電気二重層コンデンサ、制御回路を雨水や湿気等の侵入による悪影響から防止し、前記制御回路を介して電気二重層コンデンサの充電電力を発光体に給電し、該発光体を点灯または点滅させることを特徴とするものである。」を「すなわち本発明に係る太陽電池付き発光装置は、少なくとも太陽電池と、該太陽電池の発生電力を充電する電気二重層コンデンサと、制御回路とをケース内に、太陽電池、電気二重層コンデンサ、制御回路を雨水や湿気等の侵入による悪影響から防止するように封止材で固着一体化し、前記制御回路を介して電気二重層コンデンサの充電電力を発光体に給電し、該発光体を点灯または点滅させることを特徴とするものである。」と訂正する。
（５４）【発明の名称】
太陽電池付き発光装置
（５７）【特許請求の範囲】
　　【請求項１】　少なくとも太陽電池と、該太陽電池の発生電力を充電する電気二重層コンデンサと、制御回路とをケース内に
、太陽電池、電気二重層コンデンサ、制御回路を雨水や湿気等の進入による悪影響から防止するように
【発明の詳細な説明】
　　　【０００１】
　　【産業上の利用分野】
　本発明は、太陽電池を電源として発光体を点灯または点滅させるようになされた太陽電池付き発光装置に関するものであって、特に交通標識、視線誘導標、道路鋲、カーブミラー等の道路標識、または駐車場や港湾の車止め等の道路用品、または看板、サイン等の広告や案内標識等の対象物に好適に取り付けることのできるものである。
　　　【０００２】
　　【従来の技術】
　従来から、ＬＥＤ等の発光体を点灯または点滅させ、夜間における視認性を高めた発光装置が広く用いられている。該発光体の電源には商用電源や太陽電池が使用されているが、商用電源を使用したものは、空中ケーブル等の配線、地下埋設配線工事等の手間がかかるため、現在では設置の容易な太陽電池を使用したものが主流となっている。
　　　【０００３】
　　【発明が解決しようとする課題】
　しかしながら上記の如き太陽電池を使用した発光装置においても、以下の如き問題があった。すなわち太陽電池を使用したものは、昼間発生した太陽電池の電力を一旦充電装置に充電させ、夜間、その充電電力により発光体を発光させているが、この充電装置として従来は鉛蓄電池やＮｉ−Ｃｄ電池等の二次電池が使用されていた。この種の二次電池は、一定期間毎に補水等が必要であること、サイクル寿命が数年であることから数年毎に新品と交換する必要があること、充放電時に反応ガス等が出ること等により、ケース内に封止材で固着一体化して雨水や湿気等の進入による悪影響を防止することができず、またメンテナンスが煩わしかった。また使用温度範囲が狭く、この範囲を越えて使用すると寿命が極端に短くなり、さらに完全放電させた後放置すると再充電できなくなったり、寿命も短くなる問題もあった。さらにまたこれら二次電池の特性から過充電防止回路や過放電防止回路が必要であるため、充放電回路が複雑であった。
　　　【０００４】
　そこで本発明は、太陽電池を使用した発光標識において、上記の如き問題を解決し、メンテナンスをほとんど不要にすると共に雨水や湿気等の進入による悪影響を防止し、また充放電回路を簡素化した太陽電池付き発光装置を提供せんとするものである。
　　　【０００６】
　　【課題を解決するための手段】
　上記目的を達成するために、本発明は次のような構成としている。
　すなわち本発明に係る太陽電池付き発光装置は、少なくとも太陽電池と、該太陽電池の発生電力を充電する電気二重層コンデンサと、制御回路とをケース内に
、太陽電池、電気二重層コンデンサ、制御回路を雨水や湿気等の進入による悪影響から防止するように
　　　【０００６】
　　【作用】
　本発明太陽電池付き発光装置は、太陽電池の発生電力を電気二重層コンデンサに充電しているので、従来の如き二次電池に較べて、充放電回路が簡単であり、またメンテナンスがほとんど要らず、さらに該電気二重層コンデンサを含めて太陽電池、制御回路が封止材で固着一体化されているので、雨水や湿気等の進入による悪影響から防止されている。
　　　【０００７】
　　【実施例】
　以下に本発明の実施例を図面に基づき具体的に説明する。
　　　【０００８】
　まず図１は本発明太陽電池付き発光装置の一実施例を示す平面図であり、図２は図１の断面図である。図１〜２において、１はケースであり、該ケース１の一側面が円錐状に突設され、該円錐状側面の中心部が穿設されて発光窓１１が形成されると共に該発光窓１１に発光体２が外部に向けて取り付けられている。ケース１の内側には上部に太陽電池３が配設され、該太陽電池３の下部には電気二重層コンデンサ４と、制御回路５とがそれぞれ配設され、これら太陽電池３、電気二重層コンデンサ４、制御回路５は封止材６で固着一体化されている。
　　　【０００９】
　前記ケース１は太陽光を太陽電池３に照射させるため、また内部が透視できるように全体をポリカーボネート、アクリル等からなる透明の合成樹脂や強化ガラス等の透明材から形成すればケースが単純化されて好ましいが、太陽電池３に対向する上部のみを透明材から形成し、その他の部分を不透明の合成樹脂や金属等の不透明材から形成してもよく、ケース１の上部を切り欠いて太陽電池３の上面をその切り欠き部より露出させていてもよい。
　　　【００１０】
　前記発光体２としては、一般にＬＥＤ，エレクトロルミネセンス、豆電球等が使用される。該発光体２は取り替えられるようにケース１に対して着脱自在に取り付けられているのが好ましく、また発光体２の全面に透明材からなる保護カバーが嵌着されていてもよい。なお取り付けられる発光体２の数量は一個でもよいし、複数個であってもよく、また発光体２をケース１に取り付けずに、リード線を延長して本発明装置を取り付けようとする対象物に直接取り付けてもよい。
　　　【００１１】
　前記太陽電池３は、単結晶や多結晶のシリコン結晶、アモルファス、化合物半導体からなるものが一般に使用されるが、特に限定されるものではない。
　　　【００１２】
　前記電気二重層コンデンサ４は、従来の二次電池と較べて以下の如き特長を有しているものである。すなわち電気二重層コンデンサ４は充電電圧の制御回路が不要であり、太陽電池３の出力端子に電気二重層コンデンサ４を直接接続して充電することができ、また電気二重層コンデンサ４の充電電圧は、その充電電流量に従って上昇するので、０ボルトから定格電圧間であればよく、従って太陽電池３の出力電圧は日照に比例して不安定ではあるが、０ボルトから定格電圧まで効率よく充電でき、従って充放電回路を簡単にすることができるものである。また補水等のメンテナンスが不要であり、また電気二重層コンデンサ４は内部化学反応を伴わないのでサイクル寿命が長い等の特性を有し、従って本発明の如くケース１内に封止材６で固着一体化して雨水や湿気等の進入による悪影響を防止することができるものである。該電気二重層コンデンサ４の数量は一個でもよいし、複数個であってもよく、その数は使用される発光体２の種類、数量、および電気二重層コンデンサ４の種類、容量、用途等を総合勘案して適宜決定される。
　　　【００１３】
　前記制御回路５は、発光体２の動作を制御するためのものであって、例えば周囲の暗さを感知して発光体２の動作を開始させたり、予め設定された一定時間毎に発光体２の動作を開始させたり、点灯動作のみをさせたり、点滅動作を繰り返させたりする等の制御を行う。従ってこの制御回路５には、発光体２の動作を開始させるオンオフ回路に加えて、周囲の暗さを感知して発光体２の動作を開始させる場合は、光ダイオードや光電池等の照度感知センサー回路や、昼と夜とで異なる太陽電池３の発生電力の差を感知して夜を判別する回路等が、一定時間毎に発光体２の動作を開始させる場合はタイマー回路等が、点滅動作をさせる場合はスイッチング回路等が適宜設けられる。
　　　【００１４】
　前記太陽電池３、電気二重層コンデンサ４、制御回路５を固着一体化させる封止材６としては、絶縁性が高く且つ耐水性にすぐれていることからシリコン樹脂等の合成樹脂が一般に使用される。
　　　【００１５】
　次に図３は上記実施例の動作を示す回路ブロックである。図３において、まず太陽光に照射されて太陽電池３に電力が発生し、該発生電力が逆流防止ダイオード７を介して電気二重層コンデンサ４に充電される。なお前記逆流防止ダイオード７は、太陽電池３の発生電力が低下する夜間に、電気二重層コンデンサ４から太陽電池３側に電気が流れることを防ぐためのものである。次に電気二重層コンデンサ４に充電された充電電力は制御回路５を介して発光体２に給電され、この制御回路５に制御されて発光体２は適宜態様で点灯または点滅される。
　　　【００１６】
　　【発明の効果】
　以上詳述したように本発明太陽電池付き発光装置は、太陽電池の発生電力を電気二重層コンデンサに充電しているので、従来の如き二次電池に較べて、充放電回路が簡単であり、またメンテナンスがほとんど要らず、さらに該電気二重層コンデンサを含めて太陽電池、制御回路が封止材で固着一体化されているので、雨水や湿気等の進入による悪影響から防止され、特に交通標識、視線誘導標、道路鋲、カーブミラー等の道路標識、または駐車場や港湾の車止め等の道路用品、または看板、サイン等の広告や案内標識等、風雨に曝される対象物であっても好適に取り付けることのできるものである。
【図面の簡単な説明】
　　【図１】
　本発明太陽電池付き発光装置の一実施例を示す平面図である。
　　【図２】
　図１の断面図である。
　　【図３】
　図１に係る実施例の動作を示す回路ブロックである。
　　【符号の説明】
　１　　ケース
　２　　発光体
　３　　太陽電池
　４　　電気二重層コンデンサ
　５　　制御回路
　６　　封止材
　７　　逆流防止ダイオード